(57)【特許請求の範囲】
【請求項１】
空調室内機などの振動機器の側面に取り付けられる金具本体と、該金具本体の上端部から水平に屈曲して延びる取付片と、該取付片の先端部から下方に屈曲して延びる折曲片とを有し、前記折曲片の下端から取付片の中央部に至る吊りボルト用の取付用切欠溝が形成され、該取付用切欠溝に吊りボルトが取り付けられる振動機器用の耳金に装着される吊下げ式防振具であって、
前記耳金の取付片に水平方向から挿入して装着される脱落防止部材と、該部材に吊りボルトを挿通可能に設けられて振動機器の振動を吸収する筒状の防振材と、を備え、
前記脱落防止部材は、所定の間隔で平行に対向する矩形状の第１の水平プレート部及び第２の水平プレート部と、この第１の水平プレート部及び第２の水平プレート部の短辺の一方の端部を接続する接続部と、を有し、断面略コ字状に形成されており、第１の水平プレート部及び第２の水平プレート部の相対向する位置に吊りボルトを挿通する穴が形成され、前記筒状の防振材が前記脱落防止部材に第１の水平プレート部及び第２の水平プレート部のいずれかの水平プレート部の穴と同心状に設けられていることを特徴とする吊下げ式防振具。
【請求項２】
防振材は、その上部が弾性樹脂又は弾性ゴムからなっている請求項１に記載の吊下げ式防振具。
【請求項３】
防振材が設けられる側の水平プレート部の穴の周りに凹所が形成され、該凹所に防振材の上部が該穴を経て受け入れられている請求項２に記載の吊下げ式防振具。
【請求項４】
脱落防止部材の第１の水平プレート部及び第２の水平プレート部に形成された穴は、同心状の円形の穴である請求項１ないし３のいずれかに記載の吊下げ式防振具。
【請求項５】
防振材は、コイルスプリング、筒型ゴム、ゴムブッシュのいずれかである請求項１ないし４のいずれかに記載の吊下げ式防振具。
【請求項６】
防振材が上部を凹所に受け入れられた状態で該上部の頂面は脱落防止部材の、防振材が設けられる側の水平プレート部の内面とほぼ面一となっている請求項１ないし５のいずれかに記載の吊下げ式防振具。
【請求項７】
脱落防止部材の第１の水平プレート部及び第２の水平プレート部のいずれかに耳金への装着時に耳金の取付片に挿入されると該取付片をフィット可能に押さえる押さえ片が設けられている請求項１ないし６のいずれかに記載の吊下げ式防振具。
【発明の詳細な説明】
【技術分野】
【０００１】
この発明は、吊下げ式防振具に関し、さらに詳しくは空調室内機などの振動機器を吊下げる吊下げボルトに介装されて振動機器の振動の伝播を防止する防振具であって、吊りボルトへの取り付け施工を迅速、かつスムーズに行えるとともに、脱落防止も確実に行えて、安全性の高い防振具に係るものである。
【背景技術】
【０００２】
天井に設置する空調室内機などの振動機器は、吊りボルトに該振動機器の側面に取り付けた耳金を引っ掛けて吊り下げる構造になっている。この耳金には丸穴と比べて施工性を考慮した切り欠き溝と、その切り欠き溝から吊りボルトが脱落するのを防止する折り返しがある。
【０００３】
前記のような構造の耳金の場合、直接吊りボルトをナットで固定する場合は支障ないが、振動による影響を低減させるためゴム防振材、スプリング防振材などの筒状の防振材を使用することがあり、このような防振材の使用によって該防振材のたわみを利用した防振効果を得られるが、地震時の揺れにより前記折り返しを越えて切り欠き溝から振動機器が吊りボルトごと脱落するという問題があった。
【０００４】
このような問題に対する課題解決のための先行技術文献としては、出願人による調査によれば、特開２０１４−５５７１４号公報（特許文献１）がある。
【０００５】
この特許文献１は、脱落防止具に関するもので、その請求項１と図３，４の記載によれば、平行に対向する１対の水平プレート２，３と、前記１対の水平プレートの一端である第１端部同士を接続する接続部４と、前記１対の水平プレートを、それぞれ前記第１端部と反対側に位置する第２端部から第１端部に向かう方向に延びる切欠部５によって、二股に分かつことで形成される分岐板部２ａ，２ｂと、前記分岐板部の少なくとも一つに、上下方向に対向する分岐板部に向かって突出して形成される第１の突出部６と、を備え、前記第１の突出部は、前記第２端部から第１端部へ向かう方向に沿って徐々にその突出量を大きくする傾斜を有し、当該傾斜の頂点と上下方向に対向する分岐板部との隙間が、吊り金具８０の水平取り付け板８０ａの板厚より小さく形成され、前記一対の水平プレートは、前記吊り金具の取り付け板８０ａと折り曲げ片８０ｂとの間に、前記一対の水平プレートで前記吊り金具の水平取り付け板８０ａを挟み込むように挿入し、前記取付け用切り欠き溝８０ｃの開口部に前記第１の突出部が達することで係止するようになっている（参考に図面符号を付した）。
【０００６】
しかし、この脱落防止具では、筒状の防振材を用いるものではなく、直接ボルトナットで取り付けるものであるため０００３に記載したような問題が解決できていなかった。また、それに加え、脱落防止のための機構が複雑で、その製作が容易でないとともに、施工性も必ずしもよくないものであった。
【先行技術文献】
【特許文献】
【０００７】
【特許文献１】特開２０１４−５５７１４号公報（請求項１、図３，４）
【発明の概要】
【発明が解決しようとする課題】
【０００８】
そこでこの発明は、前記従来の問題を解決し、吊りボルトに迅速、かつスムーズに取り付けることができ、施工性を向上させることができるとともに、防振効果を維持しつつ地震時に吊り下げる空調室内機等の振動機器が落下する事故を確実に防ぐことができ安全性の高い吊下げ式防振具を提供することを目的とする。
【課題を解決するための手段】
【０００９】
前記課題を解決するために、請求項１に記載の発明は、空調室内機などの振動機器の側面に取り付けられる金具本体と、該金具本体の上端部から水平に屈曲して延びる取付片と、該取付片の先端部から下方に屈曲して延びる折曲片とを有し、前記折曲片の下端から取付片の中央部に至る吊りボルト用の取付用切欠溝が形成され、該取付用切欠溝に吊りボルトが取り付けられる振動機器用の耳金に装着される吊下げ式防振具であって、前記耳金の取付片に水平方向から挿入して装着される脱落防止部材と、該部材に吊りボルトを挿通可能に設けられて振動機器の振動を吸収する筒状の防振材と、を備え、前記脱落防止部材は、所定の間隔で平行に対向する矩形状の第１の水平プレート部及び第２の水平プレート部と、この第１の水平プレート部及び第２の水平プレート部の短辺の一方の端部を接続する接続部と、を有し、断面略コ字状に形成されており、第１の水平プレート部及び第２の水平プレート部の相対向する位置に吊りボルトを挿通する穴が形成され、前記筒状の防振材が前記脱落防止部材に第１の水平プレート部及び第２の水平プレート部のいずれかの水平プレート部の穴と同心状に設けられていることを特徴とする。
【００１０】
請求項２に記載の発明は、請求項１に記載の吊下げ式防振具において、防振材は、その上部が弾性樹脂又は弾性ゴムからなっている。請求項３に記載の発明は、請求項１又は２に記載の吊下げ式防振具において、防振材が設けられる側の水平プレート部の穴の周りに凹所が形成され、該凹所に防振材の上部が該穴を経て受け入れられている。
【００１１】
請求項４に記載の発明は、請求項１ないし３のいずれかに記載の吊下げ式防振具において、脱落防止部材の第１の水平プレート部及び第２の水平プレート部に形成された穴は、同心状の円形の穴である。請求項５に記載の発明は、請求項１ないし４のいずれかに記載の吊下げ式防振具において、防振材は、コイルスプリング、筒型ゴム、ゴムブッシュのいずれかである。
【００１２】
請求項６に記載の発明は、請求項１ないし５のいずれかに記載の吊下げ式防振具において、防振材が上部を凹所に受け入れられた状態で該上部の頂面は脱落防止部材の、防振材が設けられる側の水平プレート部の内面とほぼ面一となっている。
【００１３】
請求項７に記載の発明は、請求項１ないし６のいずれかに記載の吊下げ式防振具において、脱落防止部材の第１の水平プレート部及び第２の水平プレート部のいずれかに耳金への装着時に耳金の取付片に挿入されると該取付片をフィット可能に押さえる押さえ片が設けられている。
【発明の効果】
【００１４】
この発明は、前記のようであって、請求項１に記載の発明によれば、前記耳金の取付片に水平方向から挿入して装着される脱落防止部材と、該部材に吊りボルトを挿通可能に設けられて空調室内機の振動を吸収する筒状の防振材と、を備え、前記脱落防止部材は、所定の間隔で平行に対向する矩形状の第１の水平プレート部及び第２の水平プレート部と、この第１の水平プレート部及び第２の水平プレート部の短辺の一方の端部を接続する接続部と、を有し、断面略コ字状に形成されており、第１の水平プレート部及び第２の水平プレート部の相対向する位置に吊りボルトを挿通する穴が形成され、前記防振材が前記脱落防止部材に第１の水平プレート部及び第２の水平プレート部のいずれかの水平プレート部の穴と同心状に設けられているので、前記防振材の作用によって確実に防振効果を発揮することができる効果がある。
【００１５】
また、耳金に装着する場合、脱落防止部材の第１の水平プレート部及び第２の水平プレート部をその挿入部から耳金の取付片に挿入して吊りボルトに迅速、かつスムーズに取り付けることができ、施工性を向上させることができる。また、吊りボルトへの取り付け後に地震が発生した場合でも、吊りボルトが耳金の取付用切欠溝から脱落するのを防止することができるので、従来のような地震の揺れによる脱落事故を確実に防止することができる。また、構造も簡素であるため、製作が容易であるのに加え、吊りボルトに対する作業も効率よく行なえ、取り付け作業の省力化を図ることができ、室内空調機などの振動機器の設置コストも下げることができる。
【００１６】
請求項２に記載の発明によれば、防振材は、その上部が弾性樹脂又は弾性ゴムからなっているので、脱落防止部材を金属製とした場合にも、金属と樹脂又はゴムとを有機的に組み合わせて結合させることが可能となる。請求項３に記載の発明によれば、防振材が設けられる側の水平プレート部の穴の周りに防振材の上部を該穴を経て受け入れ可能な凹所が形成されているので、凹所への穴からの挿入（圧入）が容易であり、取り扱いが便利なものとなる。
【００１７】
請求項４に記載の発明によれば、脱落防止部材の第１の水平プレート部及び第２の水平プレート部に形成された穴は、同心状の円形の穴であり、従来のような切り欠き溝でないので、製作が容易で、コストを下げることができる。請求項５に記載の発明によれば、防振材は、防振材は、コイルスプリング、筒型ゴム、ゴムブッシュのいずれかであるので、必要によって任意の防振材を選択して使用することができる。
【００１８】
請求項６に記載の発明によれば、防振材が上部を凹所に受け入れられた状態で該上部の頂面は脱落防止部材の、防振材が設けられる側の水平プレート部の内面とほぼ面一となっているので、脱落防止部材の耳金への挿入による取り付け作業を容易に行うことができる。
【００１９】
請求項７に記載の発明によれば、脱落防止部材の第１の水平プレート部及び第２の水平プレート部のいずれかに耳金への装着時に耳金の取付片に挿入されると該取付片をフィット可能に押さえる押さえ片が設けられているので、耳金への装着時のぐらつきをなくしフィット効果を発揮して安定した取り付け作業を行うことが可能となり、かつ仮り止めの効果も発揮して作業性を向上させることができる。
【図面の簡単な説明】
【００２０】
【図１】この発明に係わる吊下げ式防振具の一実施の形態の使用状態を示す全体説明図である。
【図２】図１のＸ部を拡大して示す半部破断の正面図である。
【図３】同上の平面図である。
【図４】同上の防振具を構成する脱落防止部材の正面図である。
【図５】同上の脱落防止部材の平面図である。
【図６】同上の脱落防止部材の底面図である。
【図７】同上の脱落防止部材の側面図である。
【図８】同上の脱落防止部材にコイルスプリングを取り付けた状態を示す半部破断の正面図である。
【図９】同上の防振材付き脱落防止部材を空調室内機側の耳金に取り付ける作業中の斜視図である。
【図１０】同上の耳金に取り付けられた脱落防止部材を吊りボルトに取り付ける作業中の分解斜視図である。
【図１１】防振材の別の例を示す半部破断の正面図である。
【図１２】防振材のさらに別の例を示す半部破断の正面図である。
【発明を実施するための形態】
【００２１】
以下、この発明の一実施の形態について、図面を参照して説明する。
【００２２】
図１は、一実施の形態に係わる吊下げ式防振具の使用状態（取付状態）を示す説明図である。同図において、ＡＣは振動を発生させる振動機器としての室内空調機であり、この室内空調機ＡＣは四隅を構造躯体である上階の床のコンクリートスラブＣＳに垂下して設けられた吊りボルトＢで吊り下げられて支持されている。吊りボルトＢは、全ねじボルトが使用されている。Ｄは天井を示す。
【００２３】
図１のＸ部を拡大して示す図２，３において、１は防振具で、この防振具１は、前述の吊りボルトＢに介装され、後述の防振材付き脱落防止部材を介して空調室内機ＡＣを弾性支持することで、該空調室内機から発生する振動のうち、主にその上下振動成分を吸収して、振動がコンクリートスラブＣＳへ伝播しないように防止する機能を有している。
【００２４】
防振具１が取り付けられる空調室内機ＡＣ用の耳金Ｅは、図９にも示すように室内機本体の側面に取り付けられる金具本体Ｅ１と、該金具本体の上端から水平に屈曲して延びる取付片Ｅ２と、該取付片の先端から下方に屈曲して延びる折曲片Ｅ３とを有し、折曲片Ｅ３の下端から取付片Ｅ２の中央部に至る吊りボルトＢ用の取付用切欠溝Ｆが平面視略Ｔ字状に形成され、該取付用切欠溝に吊りボルトＢが取り付けられるが、それ自体は一般的に用いられているものである。耳金Ｅの形状において、取付片Ｅ２は必ずしも金具本体Ｅ１の上端から延びる必要はなく、上端部であれば多少その位置は変更可能である。
【００２５】
防振具１は、脱落防止部材２と、筒状の防振材としてのコイルスプリング３とが一体となった構造となっている。すなわち、防振具１は、耳金Ｅの金具本体Ｅ１と折曲片Ｅ３との間の取付片Ｅ２に水平方向から挿入して装着されて脱落防止機能を有する金属製の脱落防止部材２と、該部材に吊りボルトＢを挿通可能に設けられて空調室内機ＡＣの振動を吸収する金属製のコイルスプリング３と、を備えている。
【００２６】
脱落防止部材２は、図４〜７に示すように所定の間隔で平行に対向する矩形状の水平プレート部２ａ及び水平プレート部２ｂと、この水平プレート部及び水平プレート部の短辺の一方の端部を接続する接続部２ｃと、を有し、断面略コ字状に形成されている。接続部２ｃと反対側となる水平プレート部２ａ及び水平プレート部２ｂの短辺の他方の端部は開口しており、その開口端は外向きに拡開した挿入部２ｄに形成されている。挿入部２ｄを拡開形状に形成しているのは取付片Ｅ２への挿入を容易にするためである。この例では、挿入部２ｄは正面視で水平線に対して片側１５°程度の角度で外向きに屈曲して形成されている。また、平面視で水平プレート部２ａ及び水平プレート部２ｂの隅角部は長辺の延長線に対して片側１５°程度の角度で内向きに屈曲して形成されている。これは角部をなくして作業者が傷つかないようにするためであるが、ほかにアール状に形成してもよい。
【００２７】
水平プレート部２ａ及び水平プレート部２ｂの中央部に吊りボルトＢを挿通する円形の穴５，６がそれぞれ相対向する位置に同心状に形成されている。水平プレート部２ｂ側の穴６が水平プレート部２ａ側の穴５より大径となっている。さらに、この穴６を挟むようにその両側の穴６の周りの水平プレート部２ｂの短辺方向には外側に凸となる段差形成部７を一体に形成してなる方形状の凹所８が形成され、該凹所にコイルスプリング３の上部を受け入れ可能になっている。凹所８の凹み深さは、コイルスプリング３が上部を凹所８に受け入れられた状態で該上部の頂面が脱落防止部材２の水平プレート部２ｂの内面とほぼ面一となるように設定されて形成されている。
【００２８】
また、水平プレート部２ａの穴５の近くには耳金Ｅへの装着時に耳金Ｅの取付片Ｅ２に挿入すると該取付片をフィット可能に押さえる押さえ片９が切り起こしにより一体に設けられている。押さえ片９は、水平プレート部２ａと接している基端側が該プレート面に対して３０°程度の角度で屈曲し、それから延びる先端側が該プレート面とほぼ平行に屈曲した下向き片となっている。この押さえ片９は前記のようなフィット作用のほかに仮り止めの作用もある。なお、押さえ片９と水平プレート部２ｂとの間隔は挿入する取付片Ｅ２の厚さとの関係において適宜好ましい任意の値に設定される。
【００２９】
コイルスプリング３は、図８に示すようにコイル径が脱落防止部材２から離れるに従って、即ち、下方に行くに従って、徐々に小さくなっていくように形成されたテーパコイルスプリングとなっている。このテーパコイルスプリングのバネ定数は、空調室内機ＡＣが発生させる約２０Ｈｚ付近の振動数と共振しない範囲（例えば、１４Ｈｚ以下好ましくは約３〜６Ｈｚ）のものに設定されている。また、コイルスプリング３は上部にゴムキャップ１０が設けられ、該キャップには吊りボルトＢを挿通可能な円形の穴１１が形成されている。そしてコイルスプリング３はこのゴムキャップ１０を介して脱落防止部材２に装着され、穴５，６及び穴１１に挿通された吊りボルトＢに、この吊りボルトＢと螺合する上部ナット１２と下部ナット１３（図１０）で止め付けられ、空調室内機ＡＣから伝達される振動を吸収して吊りボルトＢへ伝達しないようにしている。止め付けるナット１２，１３は、図示するように、振動等で経時的に緩まないように二重ナットとなっている。図１０で１５はゴムブッシュである。
【００３０】
ゴムキャップ１０は、エチレンプロピレンジエン共重合体ゴム（ＥＰＤＭ樹脂）などの弾性樹脂（ゴム材）からなり、その上部の外周に係合溝１６が形成され、下部がコイルスプリング３の上部を覆う袋状（キャップ状）に形成されている。このゴムキャップ１０は、上部の係合溝１６が、脱落防止部材２の凹所８を形成する水平プレート部２ｂにある穴６に下から圧入して挿入することによって該穴の縁に係合し、これにより上部を凹所８に位置させて収納されている。また、コイルスプリング３の上部を覆うことにより、コイルスプリングの上部の水平方向の位置ズレを防止している。
【００３１】
ゴムキャップ１０の下方にはコイルスプリング３の下部を覆うゴムブーツ１７が設けられている。ゴムブーツ１７は、弾性樹脂（ゴム材）からなり、全体として逆円錐台形状で、上方が開口してコイルスプリング３の全体を覆う袋状（ブーツ状）に形成されているとともに、ゴムキャップ１０への嵌め込み代１７ａの下から底面に亘ってコイルスプリング３の伸縮に追従可能なように蛇腹部１７ｂが形成され、その底部１７ｃには、ナットなどの金属部品との摺接による磨耗を防ぐため、補強用の平座金１７ｄが嵌め込まれている。この平座金１７ｄは、吊りボルトＢが挿通可能な孔が穿設されている。
【００３２】
このゴムブーツ１７は、コイルスプリング３を収納してゴムキャップ１０の下部の内側に嵌め込まれるとともに、前述した吊りボルトの下端に下部ナット１３で止め付けられており、コイルスプリング３の伸縮性を阻害せずに、吊りボルトＢとコイルスプリング３との間に介在することで吊りボルトＢへの振動の伝達を低減する。また、コイルスプリング３の外側全体を覆うことで、異物を挟んで防振効果を阻害することを防止し、安全性を向上させている。
【００３３】
なお、実施の形態では、ゴムブーツ１７でコイルスプリング３の外側全部を覆うような形状としたが、必ずしもこのような形状ではなく、ゴムキャップ１０とゴムブーツ１７とが互いにコイルスプリング３を半分ずつ覆うような形状としてもよい。
【００３４】
＜取り付け手順＞
脱落防止部材２に防振材であるコイルスプリング３を取り付けるには、コイルスプリング３の上部を覆うゴムキャップ１０の上部を脱落防止部材２の水平プレート部２ｂにある穴６に下から圧入して挿入する。そして、この挿入によりゴムキャップ１０の上部が凹所８に入り込み、係合溝１６が穴６の縁に係合すると、ゴムキャップ１０の上部が凹所８に位置して収納され、コイルスプリング３が脱落防止部材２に取り付けられた状態になる。この状態を示すのが図８であり、これからこの防振材付きの脱落防止部材２を空調室内機ＡＣの側面に取り付けられた耳金Ｅへの装着と吊りボルトＢへの取り付けに進むことになる。なお、脱落防止部材２とコイルスプリング３の取り付けは、以下に説明する防振具１の取り付けには事前に必要なため、予め取り付けて組み付けておくのが便利である。
【００３５】
図９，１０と図１等を用いて防振具１の取り付け手順について説明する。
まず、図１，１０に示すように構造躯体であるコンクリートスラブＣＳから垂下している吊りボルトＢの下端部に上部ナット１２を螺合して取り付ける。次に、図９に示すようにコイルスプリング３がゴムキャップ１０とゴムブーツ１７で被覆されて取り付けられた脱落防止部材２を、空調室内機ＡＣの側面に取り付けられた耳金Ｅの取付片Ｅ２に向けて接近させ（図示では空調室内機ＡＣを省略）、その開口する挿入部２Ｄ側から矢印で示すように取付片Ｅ２を水平プレート部２ａと水平プレート部２ｂで挟むように手差しで水平方向より挿入する。そして、取付片Ｅ２が押さえ片９を押し上げるようにして接続部２ｃ側に至ると、図２に示すようにその先端が水平プレート部２ａの内面に接するように押し上げられた押さえ片９の作用により水平プレート部２ｂの内面とコイルスプリング３のゴムキャップ１０の上端面とにフィットした状態となる。そして、両水平プレート部２ａ，２ｂの内面間に挿入位置するようになると、仮の取り付け（仮り止め）が完了する。その後、図１０に示すようにブッシュ１５を脱落防止部材２の水平プレート部２ａ，２ｂの穴５，６に下端凸部を嵌入して装着したうえ、この脱落防止部材２のブッシュ１５、コイルスプリング３へ順次に吊りボルトＢを通し、下部ナット１３を吊りボルトＢの下端から螺合して取り付け、レベルを調整した後、下部ナット１３や上部ナット１２で締結する。この両ナットによる締め付け固定が終わると、防振具１の取り付けが完了する。なお、ブッシュ１５は、ここでは使用したが、必須のものではなく、必要に応じて使用する。
【００３６】
＜作用効果＞
以上説明した実施の形態に係る吊下げ式防振具１によれば、防振材であるコイルスプリング３の作用によって確実に防振効果を発揮することができる。
【００３７】
また、ゴムキャップ１０とゴムブーツ１７がコイルスプリング３全体を覆っているので、コイルスプリング３を設置して下部ナット１３を締め付ける際に誤ってコイル同士の間に手や工具等の異物を挟んでしまうことがなくなる。そのため異物を挟むことによる防振効果の阻害を防止し、取り付け作業の安全性を向上させることができる。
【００３８】
また、コイルスプリング３によって防振効果を発揮することが可能な防振具１は、脱落防止部材２を有し、前記のような従来から用いられている耳金Ｅの場合であっても、耳金Ｅの取付片Ｅ２に水平プレート部２ａと水平プレート部２ｂを挿入部２ｄから差し込み、かつ該両プレート部に設けた穴５，６等へ吊りボルトＢを挿通する構造であるため、使用している状態で地震が発生した場合でも、吊りボルトＢが耳金Ｅの取付用切欠溝Ｆから脱落するのを防止することができ、従来のような地震の揺れによる脱落事故を確実に防止することができる。
【００３９】
しかも、この脱落防止のための機構である脱落防止部材２の構造は複雑でなく、簡素な構造のため、製作が容易であるのに加え、吊りボルトＢへの取り付け等も迅速、かつスムーズに行うことができ、その施工性もきわめてよい。
【００４０】
更に、防振具１を吊りボルトＢに装着する作業も効率よく行なえ、防振具１の取り付け作業の省力化を図ることができ、室内空調機ＡＣの設置コストも下げることができる。
【００４１】
＜別の実施例１＞
図１１は、防振材の他の例であり、この例では前記のようなコイルスプリング３に代え、筒型ゴム２１を採用している。筒型ゴム２１は筒状本体２２を有し、該本体の軸方向の中心部には吊りボルトＢを挿通するための円形の穴２３が形成されているとともに、上部の外周に係合溝２４が形成されている。取り付けに際しては、コイルスプリング３の場合とほぼ同様であり、筒状本体２２の上部を水平プレート部２ｂにある穴６に下から圧入して挿入し、この挿入により上部が凹所８に入り込み、係合溝２４が穴６の縁に係止すると、上部が凹所８に位置して収納された状態になる。このような筒型ゴム２１を使用した場合でもコイルスプリング３の場合と同様な作用効果が得られる。
【００４２】
＜別の実施例２＞
図１２は、防振材のさらに別の例であり、この例では前記のようなコイルスプリング３に代え、ゴムブッシュ２６を採用している。ゴムブッシュ２６は筒型ゴム２１に比べて軸方向の長さ、すなわち全高が低くなった本体２７の軸方向の中心部に吊りボルトＢを挿通する円形の穴２８が形成されているとともに、上部の外周に係合溝２９が形成されている。ゴムブッシュ２６の取り付けは、前記筒型ゴム２１の場合とほぼ同様である。このゴムブッシュ２６を使用した場合でもコイルスプリング３や筒型ゴム２１の場合と同様な作用効果が得られる。
【００４３】
なお、実施の形態に係る吊下げ式防振具として図面で示した各構成部材の形状や構造等も、あくまでも好ましい一例を示すものであり、特許請求の範囲内で適宜設計変更が可能であることは云うまでもない。例えば、実施の形態では防振材をその上部が凹所に受け入れるようにして脱落防止部材に設けたが、そのほかに防振材の上部を脱落防止部材の水平プレート部に直接接着により設けてもよいし、あるいは加硫接着やカシメ等により設けてもよい。また、空調室内機も振動機器の一例であり、これ以外の振動機器を対象としてもよいことは勿論である。
【符号の説明】
【００４４】
１  吊下げ式防振具
２  脱落防止部材
２ａ  水平プレート部（第１の水平プレート部）
２ｂ  水平プレート部（第２の水平プレート部）
２ｃ  接続部
２ｄ  挿入部
３  コイルスプリング（防振材）
５，６  穴
７  段差形成部
８  凹所
９  押さえ片
１０  ゴムキャップ
１１  穴
１２，１３  ナット
１６  係合溝
１７  ゴムブーツ
２１  筒型ゴム（防振材）
２６  ゴムブッシュ（防振材）
ＡＣ  室内空調機（振動機器）
ＣＳ  コンクリートスラブ
Ｂ  吊りボルト
Ｄ  天井
Ｅ  耳金
Ｅ１  金具本体
Ｅ２  取付片
Ｅ３  折曲片
Ｆ  取付用切欠溝
【図１】
0006654485.tif 000002
【図２】
0006654485.tif 000003
【図３】
0006654485.tif 000004
【図４】
0006654485.tif 000005
【図５】
0006654485.tif 000006
【図６】
0006654485.tif 000007
【図７】
0006654485.tif 000008
【図８】
0006654485.tif 000009
【図９】
0006654485.tif 000010
【図１０】
0006654485.tif 000011
【図１１】
0006654485.tif 000012
【図１２】
0006654485.tif 000013